(57)【要約】【課題】紙葉類搬送装置の金庫をスリム化することのできる技術を提供する。【解決手段】空気流によって紙葉類３２を搬送する搬送路１０を構成する搬送管２２および搬送管２２の軸方向に捩って形成された捩れ管２３と、紙葉類３２の表裏面が鉛直方向と並行となるように、搬送路１０へ紙葉類３２を投入する投入部５と、捩れ管２３に接続され、搬送路１０内で空気流によって搬送されてきた紙葉類３２を、空気流と分離する分離部９４と、分離部９４で空気流と分離された紙葉類３２を、その表裏面が水平方向と並行となるようにして、鉛直方向に積み重ねて収納する収納部９８と、を備えている。【選択図】図２
2012218821.tif 000002
【特許請求の範囲】
【請求項１】
空気流によって紙葉類を搬送する搬送路を構成する搬送管および前記搬送管の軸方向に捩って形成された捩れ管と、
紙葉類の表裏面が鉛直方向と並行となるように、前記搬送路へ紙葉類を投入する投入部と、
前記捩れ管に接続され、前記搬送路内で空気流によって搬送されてきた紙葉類を、空気流と分離する分離部と、
前記分離部で空気流と分離された紙葉類を、その表裏面が水平方向と並行となるようにして、鉛直方向に積み重ねて収納する収納部と、
を備えており、
前記搬送管および捩れ管には、対向する内壁面のそれぞれに、長さ方向に延びて内方に突出するリブが複数形成されており、
前記対向する内壁面のそれぞれに形成された複数の前記リブの先端部間の間隔が、紙葉類が通過しうる間隔として、矩形開口形状の前記搬送路を形成しており、
前記搬送管での前記搬送路は、矩形開口形状の長手が鉛直方向と並行になるように形成されており、
前記捩れ管での前記搬送路は、矩形開口形状の長手が鉛直方向から水平方向と並行になるように形成されていることを特徴とする紙葉類搬送装置。
【請求項２】
請求項１記載の紙葉類搬送装置において、
往復した前記搬送路の始端および終端にそれぞれ設けられた前記搬送管および捩れ管が鉛直方向上で重なるように、複数の捩れ部材を組み合わせて前記捩れ管を形成していることを特徴とする紙葉類搬送装置。
【請求項３】
請求項２記載の紙葉類搬送装置において、
前記分離部および前記収納部を内部に含む筐体で構成した金庫を備えており、
前記搬送路の始端は、前記金庫の外部で接続された前記搬送管で構成され、
前記搬送路の終端は、前記金庫の外部で接続された前記捩れ管で構成されていることを特徴とする紙葉類搬送装置。
【請求項４】
請求項３記載の紙葉類搬送装置において、
前記捩れ管と交差するように、前記搬送路の始端の前記搬送管が前記金庫の外部で曲げられていることを特徴とする紙葉類搬送装置。
【発明の詳細な説明】
【技術分野】
【０００１】
本発明は、紙幣などの紙葉類を空気流（エア）で搬送する紙葉類搬送装置に適用して有効な技術に関する。
【背景技術】
【０００２】
本発明者は、特許第４１３０６９７号公報（特許文献１）において、空気流を用いて紙幣などの紙葉類を搬送する紙葉類搬送装置を開示している。この紙葉類搬送技術は、紙葉類の搬送方向後端部に変形部（屈曲又は湾曲部）を形成し、その変形部に空気流（風圧）を作用させるものである。これにより紙葉類が推進力を得て、変形部が形成された状態で紙葉類は搬送管（送風管ともいう）内を流れるように搬送される。搬送先の金庫（回収装置）内に回収される際には、分離部によって紙葉類と空気流が分離される。分離された紙葉類は、その変形部が矯正部によって矯正されて平坦となった状態で収納部に収納される。
【０００３】
ここで、紙葉類搬送装置は、搬送管の軸線方向に対して所要角度捩って形成された捩れ管と、紙葉類をその一方の表面が内側となるようにして９０度曲げられた方向に搬送できる曲折管とを備える場合がある。この捩れ管および曲折管を搬送管の直線部に接続すれば、紙葉類の幅方向の端面側が内側となるように、直線部の紙葉類に対して小さな曲率半径で方向転換させうる搬送路を形成できる（特許文献１の明細書段落［００７７］−［００８０］）。
【０００４】
なお、特開平２００３−３０６２６２号公報（特許文献２の図１）には、紙幣回収装置の小型化を図るために、収納部には、直立姿勢で挿入された紙幣を長手方向に搬送し、その後、紙幣を短手方向に搬送して方向転換部の下の金庫へと搬送する技術が開示されている。
【先行技術文献】
【特許文献】
【０００５】
【特許文献１】特許第４１３０６９７号公報
【特許文献２】特開平２００３−３０６２６２号公報
【発明の概要】
【発明が解決しようとする課題】
【０００６】
図１５は、特許文献１で開示された本発明者が検討した金庫１３４（回収装置ともいう）を説明するための図である。図１５に示す金庫１３４は、床（ｘｙ面）に対して鉛直方向（ｚ方向）に直立して設けられている。
【０００７】
金庫１３４の内部では、分離部９４、矯正部９６、収納部９８が設けられている。分離部９４は、搬送管２２の終端に設けられ、紙葉類３２と空気流を分離する。分離部９４内には、一対の搬送ベルト１００がプーリ１０３に掛けまわされて配置されている。搬送ベルト１００は、手前に設けられたガイド板１０６から、対向搬送面がＶ字状に次第に狭まるように配置されて、搬送管２２内を搬送されてきた紙葉類３２を挟み込み、前方の矯正部９６に送り込むことが可能となっている。また、搬送ベルト１００の前方には一対の平行に設けられたガイド板１０７が配され、紙葉類３２を矯正部９６に導く。なお、搬送管２２の空気流（エア）は、排出管６０によって排出される。
【０００８】
矯正部９６の入口には入口センサ１０２が配設されている。矯正部９６内には、４本の矯正ローラ１０４が隣接するものとの間で紙葉類を通過させることができるだけの隙間を存して配置されている。この各矯正ローラ１０４の外周面との間に一定の紙葉類搬送空間が形成されるように、各矯正ローラ１０４の外周を覆って断面円弧状のガイド板１０８が配設されている。
【０００９】
矯正部モータ（図示しない）の回転軸、および４本の矯正ローラ１０４の各回転軸に固定されたギヤが順次噛合するとによって、各隣接する矯正ローラ１０４が互いに逆方向に回転される。これにより、矯正ローラ１０４間に進入した紙葉類３２はジグザグ状に搬送されて順次逆方向に屈曲され、曲げが矯正されて収納部９８の入口側に送り込まれる。
【００１０】
収納部９８の入口には、終端検出スイッチ１１０および一対の搬送ローラ１１１が配設されている。収納部９８内はプレス板１１２により第１の室１１３および第２の室１１４の２室に仕切られている。プレス板１１２は、収納部モータ１１５により、収納部９８内で移動可能となっており、一方の位置（図１５ではマイナスｘ方向）に移動した際には、入口から第２の室１１４内に紙葉類３２を送り込み可能になり、他方の側（プラスｘ方向）に移動した際には紙葉類３２を第１の室１１３内に送り込み可能となっている。なお、第１および第２の室１１３、１１４内に配置された受板１１６であり、スプリング１１７によって受けられている。
【００１１】
表裏面が鉛直方向（ｚ方向）と並行に搬送管２２で搬送されてきた紙葉類３２は、金庫１３４において、そのまま表裏面が鉛直方向と並行する状態で収納される。このような金庫１３４では、大量の紙葉類３２を収納する場合、水平方向（図１５ではｘ方向）に収納部９８を大きくする必要がある。このため、収納部９８が大型化することで、金庫１３４全体としても、太ったように大型化してしまう。
【００１２】
また、紙葉類３２を水平方向ではなく、鉛直方向に積み重ねて収納するために、特許文献２で開示された技術のように、紙葉類の搬送方向を転換する方向転換部を金庫内に設ける場合、金庫全体として大型化してしまう。
【００１３】
本発明の目的は、紙葉類搬送装置の金庫をスリム化することのできる技術を提供することにある。本発明の前記ならびにその他の目的と新規な特徴は、本明細書の記述および添付図面から明らかになるであろう。
【課題を解決するための手段】
【００１４】
本願において開示される発明のうち、代表的なものの概要を簡単に説明すれば、次のとおりである。本発明の一実施形態における紙葉類搬送装置は、空気流によって紙葉類を搬送する搬送路を構成する搬送管および前記搬送管の軸方向に捩って形成された捩れ管と、紙葉類の表裏面が鉛直方向と並行となるように、前記搬送路へ紙葉類を投入する投入部と、前記捩れ管に接続され、前記搬送路内で空気流によって搬送されてきた紙葉類を、空気流と分離する分離部と、前記分離部で空気流と分離された紙葉類を、その表裏面が水平方向と並行となるようにして、鉛直方向に積み重ねて収納する収納部と、を備えている。前記搬送管および捩れ管には、対向する内壁面のそれぞれに、長さ方向に延びて内方に突出するリブが複数形成されている。前記対向する内壁面のそれぞれに形成された複数の前記リブの先端部間の間隔が、紙葉類が通過しうる間隔として、矩形開口形状の前記搬送路を形成している。前記搬送管での前記搬送路は、矩形開口形状の長手が鉛直方向と並行になるように形成されている。前記捩れ管での前記搬送路は、矩形開口形状の長手が鉛直方向から水平方向と並行になるように形成されている。
【発明の効果】
【００１５】
本願において開示される発明のうち、代表的なものによって得られる効果を簡単に説明すれば、次のとおりである。本発明の一実施形態によれば、紙葉類搬送装置の金庫をスリム化することができる。
【図面の簡単な説明】
【００１６】
【図１】本発明の一実施形態における紙葉類搬送装置を説明するための図である。
【図２】図１の拡大図である。
【図３】本発明の一実施形態における紙葉類の搬送状態を説明するための図である。
【図４】本発明の一実施形態における動作中の投入部を説明するための図である。
【図５】図４に続く動作中の投入部を説明するための図である。
【図６】図５に続く動作中の投入部を説明するための図である。
【図７】図６に続く動作中の投入部を説明するための図である。
【図８】図７に続く動作中の投入部を説明するための図である。
【図９】本発明の一実施形態における金庫を説明するための図である。
【図１０】本発明の一実施形態における搬送管を説明するための図である。
【図１１】本発明の一実施形態における紙葉類搬送装置の捩れ管を説明するための図であり、（ａ）は平面図、（ｂ）は左側面図、（ｃ）は正面図、（ｄ）は右側面図、（ｅ）は斜視図である。
【図１２】本発明者が検討した紙葉類搬送装置を説明するための図である。
【図１３】本発明の他の実施形態における紙葉類搬送装置を説明するための図である。
【図１４】本発明の他の実施形態における捩れ管を説明するための図であり、（ａ）は平面図、（ｂ）は左側面図、（ｃ）は正面図、（ｄ）は右側面図、（ｅ）は斜視図である。
【図１５】本発明者が検討した金庫を説明するための図である。
【発明を実施するための形態】
【００１７】
以下、本発明の実施形態を図面に基づいて詳細に説明する。なお、実施形態を説明するための全図において、同一の機能を有する部材には同一の符号を付し、その繰り返しの説明は省略する場合がある。また、本発明の実施形態における紙葉類搬送装置については、本発明者が提案した特許文献１に記載の技術も参照することができる。また、図面中のｘｙｚ座標は、ｚ方向が鉛直方向、ｘ、ｙ方向が水平方向を示している。
【００１８】
（実施形態１）
図１は本実施形態における紙葉類搬送装置１の概略を説明するための図であり、図２は図１の拡大図である。紙葉類搬送装置１は、図１、図２に示すように、仕切り板２、３の間に複数の遊技台４（パチンコ台）が集まったいわゆる島に設置されて、遊技場で用いられる。紙葉類搬送装置１は、金庫３４と、空気流によって紙葉類３２を搬送し、金庫３４から出て往復して戻る搬送路１０と、紙葉類３２を搬送路１０へ投入する複数の投入部５とを備えている。なお、紙葉類搬送装置１では、遊技台４と対面して左側に投入部５（玉貸機）が設置されている。
【００１９】
以下に、紙葉類搬送装置１の構成部材について説明する。まず、投入部５について説明する。投入部５は、図３に示すように、紙葉類３２の表裏面が鉛直方向（ｚ方向）と並行の状態で搬送路１０へ紙葉類３２を投入する。また、投入部５は、紙葉類３２の搬送方向（図３ではｘ方向）における先端部の平面部３２ａに対して、搬送方向後端部にジグザグ状の変形部３２ｂを形成する。この変形部３２ｂに、搬送路１０内を流れる空気流（図３中、ハッチングを付した矢印で示す）からの風圧が作用し、紙葉類３２は搬送路１０内で搬送される。なお、図３では、搬送管２２の対向する内壁面のそれぞれに形成されたリブ２２ａの先端部の間隔が、紙葉類３２が通過しうる間隔として搬送路１０が形成されている。
【００２０】
図４に示すように、投入部５では、一対の送り込みローラ４１、４１のうち上流側に位置する送り込みローラ４１を、軸４２を中心に揺動するＬ字状の揺動アーム４３の一端側に取り付け、揺動アーム４３の他端側にスプリング４４の一端を固定し、スプリング４４により上流側の送り込みローラ４１を下流側の送り込みローラ４１に圧接するように付勢している。なお、図示しないがＬ字状の揺動アーム４３は一対で設けられ、上流側の送り込みローラ４１の他端側も回転自在に支持している。
【００２１】
シールドシャフト４５、４６は、それぞれ送り込みローラ４１、４１と平行に、かつ送り込みローラ４１、４１と微小間隔をおいて配置されている。傾斜案内部４７は、上流の送り込みローラ４１方向に伸びるとともに搬送路１０から次第に離反するように伸び、終端にストッパ４８が形成されている。また、傾斜案内部４７の下流側には、下流側の送り込みローラ４１の方向に伸びるとともに、搬送路１０から次第に急激に離反する袋状部４９が形成されている。
【００２２】
図４に示す状態では、紙葉類３２が投入部５に投入されて紙幣識別動作がなされている状態で、このときはまだ送り込みローラ４１、４１は回転されていない。この状態から、紙幣識別動作がなされ、送り出しローラ（図示せず）によって紙葉類３２が送り込みローラ４１、４１方向に送り出されてくると、図５に示すように、紙葉類３２の先端部がスプリング（図示しない）の付勢力に抗して可動爪片５１を回動し、入口光センサ３０をオンする。このオン信号が制御部２９に入力されると制御部２９は両送り込みローラ４１、４１が送り込み方向に回転するように送り込みモータ（図示せず）を駆動する。
【００２３】
両送り込みローラ４１、４１によって紙葉類３２が送り込まれ、紙葉類３２の後端部が固定ガイド部５０と可動爪片５１との間を通過すると、可動爪片５１はスプリング（図示しない）の付勢力によって元の位置に回動し、固定ガイド部５０、可動爪片５１によって紙葉類通路を遮断すると共に、入口光センサ３０が再びオフ状態となり、このオフ信号が制御部２９に入力される。
【００２４】
上記オフ信号が制御部２９に入力されると、制御部２９では送り込みモータを一旦停止させると共に、所定角度、送り込みモータを逆方向に回転させる。これにより、紙葉類３２は所定距離引き戻される。このように紙葉類３２が引き戻されると、紙葉類３２の後端が傾斜案内部４７に当接し、紙葉類３２の後端部は傾斜案内部４７に沿って引き戻され、後端がストッパ４８に当接する。
【００２５】
さらに送り込みモータが逆方向に回転されると、紙葉類３２は後端部側が袋状部４９内に次第に進入し、袋状部４９の内壁に沿った２つ折り状に形成される。さらに継続して送り込みモータが逆方向に回転されると、引き戻された紙葉類３２は、紙葉類３２の中途部分が湾曲することによってさらにもう１箇所の変形部が形成される。さらに継続して送り込みモータが逆方向に回転されると、その変形が強調される。この状態となったら送り込みモータが停止される（図６参照）。
【００２６】
続いて、送り込みモータが再び正回転される。これにより図７に示されるように、２つ折り状となった紙葉類３２の後端部は一対の送り込みローラ４１、４１間に進入する。さらに送り込みモータが回転されると、紙葉類３２のループ状の折り畳み端が両送り込みローラ４１、４１間を通過しようとするが、その際に、紙葉類３２からの抵抗力がスプリング４４の付勢力に抗して上流側の送り込みローラ４１を下流側の送り込みローラ４１から離反する方向に回動する。これにより、両送り込みローラ４１、４１間を通過する際、紙葉類３２のループ状の折り畳み端に適度の押圧力が加わり、紙葉類３２の後端部を、図８に示すように、かなり強い状態に、送り込みローラ４１、４１側に凸となるように変形する。このようにして、搬送路１０内を搬送される紙葉類３２には、投入部５によって空気流の風圧が作用する変形部３２ｂが形成される。
【００２７】
次に、分離部９４および収納部９８を内部に含む筐体で構成した金庫３４について図９を参照して説明する。金庫３４では、上下に室が分けられている。ファン室である上側の室には、搬送路１０の始端１０ａと接続され、搬送路１０に空気流を発生させるファン７が設けられている。このファン室６の扉には、紙葉類搬送装置１の運転状態を表示する表示部８が取り付けられている。
【００２８】
下型の室には、分離部９４、矯正部９６、リジェクト格納部１１、識別部１２、収納部９８、ケーブル通し穴１４、電源ブレーカ１５、切替スイッチ１６、通信コネクタ１７、操作部１８および制御基板２１が設けられている。
【００２９】
搬送路１０の終端１０ｂと接続された分離部９４は、搬送路１０内で空気流によって搬送されてきた紙葉類３２を、空気流と分離するものである。また、矯正部９６は、紙葉類３２の変形部３２ｂを平坦とするように矯正するものである。また、収納部９８は、分離部９４で空気流と分離された紙葉類３２を、例えば落とし入れるようにして、紙葉類３２の表裏面が水平方向（ｘ、ｙ方向）と並行の状態で鉛直方向（ｚ方向）に積み重ねて収納するものである。この収納部９８では、例えば１０００枚の紙葉類３２を収納することができる。
【００３０】
また、識別部１２は、搬送されてきた紙葉類３２の種類（例えば、千円札、二千円札、五千円札、一万円札の４種類）を識別するものである。また、リジェクト格納部１１は、識別部１２で識別できなかった紙葉類３２を格納するものである。図９では、このリジェクト格納部１１は、矯正部９６の奥側に設けられている。
【００３１】
また、ケーブル通し穴１４は、投入部５への接続ケーブルを通すための穴である。また、電源ブレーカ１５は、紙葉類搬送装置１に電気を通電させるためのものである。切替スイッチ１６は、例えば、「ファン交換」、「運転」、「投入部交換」の動作モードを切り換えるスライドスイッチである。また、通信コネクタ１７は、例えばログ取得のために外部と接続するためのコネクタである。また、操作部１８は、ボタンで紙葉類搬送装置１の状態を操作するものである。また、制御基板２１は、投入部５や、ファン７などを制御するＣＰＵを実装したものである。
【００３２】
次に、搬送路１０について説明する。図１および図２に示すように、空気流によって紙葉類３２を構成する搬送路１０は、紙葉類３２を直線的に搬送させる直線部（図１０参照）と曲線的（Ｕ字状）に搬送させる曲線部２２Ａを有する搬送管２２と、搬送管２２の軸方向（紙葉類の搬送方向）に対して所要角度捩って形成された捩れ管２３（図１１（ａ）、図１１（ｂ）、図１１（ｃ）、図１１（ｄ）、図１１（ｅ）参照）とで構成されている。この搬送路１０の始端１０ａでは搬送管２２（直線部）が接続され、搬送路１０の終端１０ｂでは捩れ管２３が接続されている。
【００３３】
図１０に示すように、搬送管２２には、対向する内壁面のそれぞれに、長さ方向に延びて内方に所要高さで突出するリブ２２ａが複数形成されている。この対向する内壁面のそれぞれに形成された複数のリブ２２ａの先端部間の間隔が、紙葉類３２が変形されることなく通過しうる間隔として、矩形開口形状（図１０中、破線で示している）の搬送路１０を形成している。この搬送管２２での搬送路１０は、矩形開口形状の長手が鉛直方向（ｚ方向）と並行になるように形成されている。
【００３４】
また、図１１（ｅ）に示すように、捩れ管２３には、対向する内壁面のそれぞれに、長さ方向に延びて内方に所要高さで突出するリブ２３ａが複数形成されている。この対向する内壁面のそれぞれに形成された複数のリブ２３ａの先端部間の間隔が、紙葉類３２が変形されることなく通過しうる間隔として、矩形開口形状（図１１（ｅ）中、破線で示している）の搬送路１０を形成している。
【００３５】
この捩れ管２３での搬送路１０は、矩形開口形状の長手が鉛直方向（図１１（ｂ）参照）から水平方向（図１１（ｄ）参照）と並行になるように形成されている。具体的には、複数の捩れ部材２３Ａ、２３Ｂ、２３Ｃ、２３Ｄ、２３Ｅ、２３Ｆを組み合わせて捩れ管２３が形成されている。これは、空気流によって搬送される紙葉類３２は、捩れ部材２３Ａ〜２３Ｆを組み合わせることで、あらゆる方向に搬送できることを明解にしている。
【００３６】
このように、本実施形態における紙葉類搬送装置１は、空気流によって紙葉類３２を搬送する搬送路１０を構成する搬送管２２および搬送管２２の軸方向に捩って形成された捩れ管２３と、紙葉類２３の表裏面が鉛直方向と並行となるように、搬送路１０へ紙葉類３２を投入する投入部５と、捩れ管２３に接続され、搬送路１０内で空気流によって搬送されてきた紙葉類３２を、空気流と分離する分離部９４と、分離部９４で空気流と分離された紙葉類３２を、その表裏面が水平方向と並行となるようにして、鉛直方向に積み重ねて収納する収納部９８とを備えている。
【００３７】
ところで、床面積が小さい遊技場においても、設置できる紙葉類搬送装置が要求されている。そこで、本実施形態における投入部５では、紙葉類３２の表裏面が鉛直方向（ｚ方向）と並行して搬送路１０へ紙葉類３２を投入することとしている。このため、紙葉類３２の表裏面が水平方向（図１ではｘ、ｙ方向）と並行して投入する場合より、投入部５の幅Ｂ（図１参照）を狭くすることができる。投入部５から紙葉類３２はその表裏面が鉛直方向と並行して投入されるので、搬送管２２内においても紙葉類３２は表裏面が鉛直方向と並行して搬送される。また、搬送管２２の曲線部２２Ａでは、表裏面が鉛直方向と並行して搬送されることで、水平面と並行して搬送される場合より曲率半径が小さくすることができる。
【００３８】
また、床面積が小さい遊技場では、対向する遊技台４はその間隔Ａ（図１参照）を狭くして（例えば、５００ｍｍ）設置される場合がある。しかしながら、図１５を参照して説明したように、表裏面が鉛直方向（ｚ方向）と並行に搬送管２２で搬送されてきた紙葉類３２を、そのまま表裏面が鉛直方向（ｚ方向）と並行する状態で収納する金庫１３４では、水平方向（ｘ、ｙ方向）に積み重ねて収納することとなり、水平方向に収納部９８を大型化させてしまう。このため、収納部９８が大型化することで、金庫１３４全体としても、太ったように大型化してしまい、床面積が小さい遊技場での要求に応えることはできない。
【００３９】
そこで、本実施形態における紙葉類搬送装置１では、矩形開口形状の長手が鉛直方向（ｚ方向）から水平方向（ｘ、ｙ方向）と並行になるように形成された捩れ管２３を搬送路１０の終端部１０ｂに用いている。このため、搬送路１０（搬送管２２）内で表裏面が鉛直方向と並行して搬送されてきた紙葉類３２は、捩れ管２３で表裏面が水平方向と並行して搬送されるようになる。表裏面が水平方向と並行となった紙葉類３２は、分離部９４、矯正部９６を通過して、収納部９８で表裏面が水平方向と並行して鉛直方向に積み重ねられて収納される（図９参照）。
【００４０】
これにより、例えば大量の紙葉類３２を収納するような場合であっても、収納部９８は水平方向に大きくせずとも、鉛直方向に背高化することができる。したがって、金庫３４全体としてスリム化することができる。
【００４１】
また、本実施形態では、往復した搬送路１０の始端１０ａおよび終端１０ｂにそれぞれ設けられた搬送管２２および捩れ管２３が鉛直方向（ｚ方向）上で重なるように、複数の捩れ部材２３Ａ、２３Ｂ、２３Ｃ、２３Ｄ、２３Ｅ、２３Ｆを長さ、搬送方向に対する角度等を調節して、組み合わせて捩れ管２３を形成している（図１１参照）。すなわち、このような捩れ管２３を用いることで、図９に示すように、搬送路１０の始端１０ａと終端１０ｂを鉛直方向上に重ねて配置して、その配置領域を小さくすることができるので、金庫３４の内部で配置される他の部材の配置に自由度が生まれる。これにより、金庫３４全体としてスリム化することができる。
【００４２】
また、本実施形態の技術を用いて、図１２に示すように、搬送路１０の終端１０ｂとして金庫３４Ａの内部に捩れ管２３を設けることもできる。これにより、例えば大量の紙葉類３２を収納するような場合であっても、収納部９８は水平方向に大きくせずとも、鉛直方向に背高化することができる。しかしながら、捩れ管２３の長さ分だけ水平方向に床面積を確保する必要ができてしまう。これに対して、図２で示したように、搬送路１０の始端１０ａとして金庫３４の外部で接続された搬送管２２で構成し、搬送路１０の終端１０ｂとして金庫３４の外部で接続された捩れ管３４で構成することで、金庫３４Ａよりスリム化することができる。
【００４３】
（実施形態２）
図１３は本実施形態における紙葉類搬送装置１Ａの概略を説明するための図である。紙葉類搬送装置１Ａは、仕切り板２、３の間に複数の遊技台４（パチスロ台）が集まったいわゆる島に設置されて、遊技場で用いられる。紙葉類搬送装置１Ａも前記実施形態１で説明した紙葉類搬送装置１と同様に、金庫３４と、空気流によって紙葉類３２を搬送し、金庫３４から出て往復して戻る搬送路１０と、紙葉類３２を搬送路１０へ投入する複数の投入部５とを備えている。なお、紙葉類搬送装置１Ａでは、遊技台４と対面して右側に投入部５が設置されている。
【００４４】
紙葉類搬送装置１Ａでは、捩れ管２４と交差するように、搬送路１０の始端１０ａの搬送管２２が金庫３４の外部で曲げられている（図１３中、クロス部２２Ｂとして示している）。このように往復した搬送路１０の始端１０ａおよび終端１０ｂにそれぞれ設けられた搬送管２２および捩れ管２４が交差するように、図１４（ｅ）に示すように、複数の捩れ部材２４Ａ、２４Ｂ、２４Ｃ、２４Ｄ、２４Ｅ、２４Ｆ、２４Ｇを長さ、搬送方向に対する角度等を調節して、組み合わせて捩れ管２４を形成している。
【００４５】
また、図１４（ｅ）に示すように、捩れ管２４には、対向する内壁面のそれぞれに、長さ方向に延びて内方に所要高さで突出するリブ２４ａが複数形成されている。この対向する内壁面のそれぞれに形成された複数のリブ２４ａの先端部間の間隔が、紙葉類３２が変形されることなく通過しうる間隔として、矩形開口形状（図１４（ｅ）中、破線で示している）の搬送路１０を形成している。
【００４６】
このような捩れ管２４を用いても、金庫３４の内部で配置される搬送路１０の始端１０ａ、終端１０ｂの領域を小さくすることができるので、金庫３４の内部で配置される他の部材の配置に自由度が生まれる。これにより、金庫３４全体としてスリム化することができる。
【符号の説明】
【００４７】
１  紙葉類搬送装置
５  投入部
１０  搬送路
２２  搬送管
２２Ａ  曲線部
２２Ｂ  クロス部
２３  捩れ管
２３ａ  リブ
２３Ａ、２３Ｂ、２３Ｃ、２３Ｄ、２３Ｅ、２３Ｆ  捩れ部材
２４  捩れ管
２４ａ  リブ
２４Ａ、２４Ｂ、２４Ｃ、２４Ｄ、２４Ｅ、２４Ｆ、２４Ｇ  捩れ部材
３２  紙葉類
３４、３４Ａ  金庫
９４  分離部
９６  矯正部
９８  収納部
【図１】
2012218821.tif 000003
【図２】
2012218821.tif 000004
【図３】
2012218821.tif 000005
【図４】
2012218821.tif 000006
【図５】
2012218821.tif 000007
【図６】
2012218821.tif 000008
【図７】
2012218821.tif 000009
【図８】
2012218821.tif 000010
【図９】
2012218821.tif 000011
【図１０】
2012218821.tif 000012
【図１１】
2012218821.tif 000013
【図１２】
2012218821.tif 000014
【図１３】
2012218821.tif 000015
【図１４】
2012218821.tif 000016
【図１５】
2012218821.tif 000017